(57)【特許請求の範囲】
【請求項１】
１次側電源供給回路と、この１次側電源供給回路から電力供給される２次側電源供給回路と、この２次側電源供給回路に接続される制御系回路と、手動操作部材とＯＦＦ操作部材とを異なる位置に配設したスイッチ装置とを備え、
このスイッチ装置は、前記１次側電源供給回路に接続されると共に、前記ＯＦＦ操作部材を電気的に操作して前記スイッチ装置をＯＦＦさせる駆動源を有し、前記１次側電源供給回路への電力供給は前記手動操作部材を手動で１方向に移動させて操作して前記スイッチ装置をＯＮさせることにより行い、このＯＮ操作後も更に１方向に移動させることができるオーバストローク域を有し、前記手動操作部材が前記オーバストローク域内を往復移動することによりＯＮ／ＯＦＦ信号を出力する検出スイッチを設け、
前記１次側電源供給回路への電力供給を遮断するときは、前記手動操作部材が操作されただけでは前記スイッチ装置はＯＦＦにならず、前記オーバストローク域内を移動することによる前記検出スイッチのＯＮ／ＯＦＦ信号に基づいて前記制御系回路を作動させ、所定の処理を行った後に前記駆動源を駆動して、前記ＯＦＦ操作部材を操作することによって、前記スイッチ装置がＯＦＦになるようにしたことを特徴とする電気機器。
【請求項２】
前記駆動源は、可動鉄心を有するソレノイドであり、
前記１次側電源供給回路に供給さる電力を遮断するときは、前記ソレノイドを駆動させて前記スイッチ装置をＯＦＦさせることができると共に、前記ソレノイドに配設された可動鉄芯を外部から強制操作可能に配設したことを特徴とする電気機器。
【請求項３】
前記スイッチ装置の前記手動操作部材を外部から操作可能な操作ボタン保持する操作パネルを有し、前記可動鉄芯の前記強制操作を前記操作パネルの内部に配設した押し棒を操作して行うようにしたことを特徴とする請求項２記載の電気機器。
【請求項４】
前記可動鉄芯を外部から強制操作可能とする貫通孔を前記操作パネルに設けたことを特徴とする請求項２記載の電気機器。
【請求項５】
前記手動操作部材はハート状カムとロック部材からなるカム機構をさらに有し、
前記手動操作部材が、ＯＦＦ位置から操作されても前記ロック部材はカム内のＯＦＦ位置から移動しないよう配設されており、
前記ＯＦＦ操作部材が前記駆動源により駆動された時、前記ＯＦＦ操作部材は前記ロック部材をカム内のＯＦＦ位置から、ＯＮ位置へ復帰できる経路上に強制的に移動させることを特徴とする請求項１記載の電気機器。
【発明の詳細な説明】
【０００１】
【発明の属する技術分野】
本発明はテレビ、ＶＴＲ、プリンタ、あるいはファーンヒータ等の電気機器に係わり、特に非使用時に１次側電源供給回路への電源電圧の供給を遮断することができる節電モードを有する電気機器に関する。
【０００２】
【従来の技術】
従来の電気機器を、例えばファーンヒータで説明すると、図示を省略したファーンヒータの大部分は電源回路にタイマー機能が接続されており、このタイマー機能を起動させて電源ＯＦＦの状態においても、指定された時間にファーンヒータを燃焼させる必要性から、常に１次側電源供給回路をＯＮ状態にしておき、これに２次側電源供給回路の１部が接続された状態を維持し続けるようになっている。
【０００３】
従って、従来のファーンヒータは、２次側電源供給回路がＯＦＦの状態においても、１次側電源供給回路には常時電力供給されており、その分は電力を消費し続けているため、非使用時（非動作時）にも常に数Ｗ程度の待機電力が消費されていた。
また、前記待機電力の消費をなくするために、１次側電源供給回路にリレーを接続し、制御系回路からの指令によって、前記リレーを操作して１次側電源供給回路をＯＦＦする事ができる電気機器が提案されている。
【０００４】
【発明が解決しようとする課題】
しかし、数多くの種類の電気機器の中においては、１次側電源供給回路をＯＦＦする前に所定の前処理、例えば保全処理等を行ってから１次側電源供給回路をＯＦＦしなければならない電気機器があるので、前記リレーによるＯＦＦ手段を全ての電気機器に用いることはできないというというような課題があった。
前記電源回路をＯＦＦする前の所定の保全処理として、例えばファーンヒータにおいては、消火する時に生じる不完全燃焼を防止するための処理、あるいは燃焼部への燃料供給停止等の所定の保全処理を行ってから１次側電源供給回路をＯＦＦしなければならなかった。
【０００５】
また、前記リレーは外部が封止材等によって内部が密閉されているので、外部から直接リレーを強制的に操作してＯＦＦすることができないため、電気機器の電源回路に何らかの異常が発生して、制御系回路を制御することができなくなった場合には、リレーをＯＦＦ操作できなくなり、安全性に課題があった。
本発明は、前述したような課題を解決し、電気機器側の電源回路を遮断する前の処理、例えば保全処理等を適正に行うことができると共に、１次側回路の待機電力を零にすることができる電気機器を提供することにある。
【０００６】
【課題を解決するための手段】
前記課題を解決するための第１の解決手段として本発明の電気機器は、１次側電源供給回路と、この１次側電源供給回路から電力供給される２次側電源供給回路と、この２次側電源供給回路に接続される制御系回路と、手動操作部材とＯＦＦ操作部材とを異なる位置に配設したスイッチ装置とを備え、このスイッチ装置は、前記１次側電源供給回路に接続されると共に、前記ＯＦＦ操作部材を電気的に操作して前記スイッチ装置をＯＦＦさせる駆動源を有し、前記１次側電源供給回路への電力供給は前記手動操作部材を手動で１方向に移動させて操作して前記スイッチ装置をＯＮさせることにより行い、このＯＮ操作後も更に１方向に移動させることができるオーバストローク域を有し、前記手動操作部材が前記オーバストローク域内を往復移動することによりＯＮ／ＯＦＦ信号を出力する検出スイッチを設け、前記１次側電源供給回路への電力供給を遮断するときは、前記手動操作部材が操作されただけでは前記スイッチ装置はＯＦＦにならず、前記オーバストローク域内を移動することによる前記検出スイッチのＯＮ／ＯＦＦ信号に基づいて前記制御系回路を作動させ、所定の処理を行った後に前記駆動源を駆動して、前記ＯＦＦ操作部材を操作することによって、前記スイッチ装置がＯＦＦになるようにした構成とした。
【０００８】
また、前記課題を解決するための第２の解決手段として、前記駆動源は、可動鉄心を有するソレノイドであり、前記１次側電源供給回路に供給さる電力を遮断するときは、前記ソレノイドを駆動させて前記スイッチ装置をＯＦＦさせることができると共に、前記ソレノイドに配設された可動鉄芯を外部から強制操作可能に配設した構成とした。
【０００９】
また、前記課題を解決するための第３の解決手段として、前記スイッチ装置の前記手動操作部材を外部から操作可能な操作ボタン保持する操作パネルを有し、前記可動鉄芯の前記強制操作を前記操作パネルに配設した押し棒を操作して行うような構成とした。
【００１０】
また、前記課題を解決するための第４の解決手段として、前記可動鉄芯を外部から強制操作可能とする貫通孔を前記操作パネルに設けた構成とした。
また、前記課題を解決するための第５の解決手段として、前記手動操作部材はハート状カムとロック部材からなるカム機構をさらに有し、前記手動操作部材が、ＯＦＦ位置から操作されても前記ロック部材はカム内のＯＦＦ位置から移動しないよう配設されており、前記ＯＦＦ操作部材が前記駆動源により駆動された時、前記ＯＦＦ操作部材は前記ロック部材をカム内のＯＦＦ位置から、ＯＮ位置へ復帰できる経路上に強制的に移動させる構成とした。
【００１１】
【発明の実施の形態】
以下に、本発明の電気機器を図面に基づいて説明する。図１は本発明の電気機器の電源制御回路の要部回路図であり、図２、３はその回路に使用するスイッチ装置の上面図と正面図であり、図４、５は本発明に係わる第１スイッチの上面図と正面図であり、図６は本発明に係わるスイッチ装置の要部拡大図であり、図７、８は本発明に係わるスイッチ装置のカム底面を説明する概略図であり、図９、１０は、本発明に係わるスイッチ装置のロック部材の動きを説明する概略図であり、図１１は本発明に係わる第２スイッチを説明する要部断面図であり、図１２は本発明の電気機器の制御系回路とスイッチ装置の動作との関連を説明する図であり、図１３は本発明のその他の実施の形態を説明する概略図である。
【００１２】
まず、本発明は、ＴＶ、ＶＴＲ、プリンタ、あるいはファーンヒータ等の電気機器全般に適用が可能であり、本発明の実施の形態においては、ファーンヒータを例に説明する。
まず、ファーンヒータ（図示せず）の電源回路は、図１の要部回路図に示すように、端子２１ａからＡＣ１００Ｖが供給される１次側電源供給回路２１（以下１次側回路２１と称する）と、この１次側回路２１に接続されるオートＯＦＦ機能を備えたスイッチ装置Ｓと、１次側回路２１に供給される電力が、電源トランス２２を介して信号系及びモーター系用電源回路２３と、制御系用電源回路２４等から成る２次側電源供給回路に供給されるようになっている。
【００１３】
前記信号系及びモーター系用電源回路２３は、信号系及びモータ系回路２７に接続され、制御系用電源回路２４は、逆流防止ダイオード２５、２６を介して、制御系回路２８と、第１と第２の２つのスイッチ５、１０を備えたスイッチ装置Ｓとに接続され、この制御系回路２８とスイッチ装置Ｓとに制御系用電源回路２４から電力供給されるようになっている。
また、制御系回路２８とスイッチ装置Ｓとは駆動用トランジスタ２９を介して接続されて、本発明の電気機器の電源回路が概略構成されている。
【００１４】
このような電源回路は、スイッチ装置Ｓの後述する第１スイッチ５を手動でＯＮすると、１次側回路２１にＡＣ１００Ｖの電力供給がされ、この電力が２次側電源供給回路である信号系及びモーター系用電源回路２３、及び制御系用電源回路２４に供給され、制御系回路２８からの指令でファーンヒータの燃焼部が着火して燃焼するようになっている。
また、燃焼中のファーンヒータを消火するには、スイッチ装置Ｓの後述する検出スイッチ１０をＯＮすると、このＯＮ信号を制御系回路２８が検知して、消火時の不完全燃焼を防止するための保全処理、あるいは燃焼部への燃料供給停止等の所定の保全処理を所定時間内に行う。
【００１５】
前記検出スイッチ１０がＯＮされてから所定時間経過後、制御系回路２８からの指令で、スイッチ装置Ｓの後述するソレノイドから成る駆動源１２を駆動させて、第１スイッチ５を自動でＯＦＦさせることにより、１次側回路２１への電力供給を遮断する。
この１次側回路２１への電力供給が遮断されることで、燃焼中のファーンヒータを適正に消火することがきる。
また、前述のような手順で適正に消火されたファーンヒータは、再度燃焼部を着火させて燃焼させるときに、着火時の不完全燃焼等の障害をなくすることができる。
【００１６】
本発明の電気機器の電源回路の１次側回路２１に接続される、スイッチ装置Ｓは、図２、３に示すように、プレス等によって打ち抜き加工された金属板から成る枠体１が上部に配設されている。この枠体１は、後述するＡＣ回路用スイッチから成る第１スイッチ５を取り付けるためのＡＣスイッチ部２と、後述するソレノイドから成る駆動源１２を取り付けるための駆動源取付部４とが隣り合わせて形成され、ＡＣスイッチ部２の図示右側に、後述するＤＣ回路用スイッチから成る検出１０を取り付けるためのＤＣスイッチ部３が設けられ、ＡＣスイッチ部２とＤＣスイッチ部３との間に連結部１ｃが形成されている。
【００１７】
前記ＡＣスイッチ部２には、１部が平坦状に突出形成された段差部２ａを有し、この段差部２ａには、下方に突き出し形成された凸部２ｂが設けられている。また、ＡＣスイッチ部２の前方側の２つの舌片状の第１カシメ部２ｃ、２ｃが図示上下に形成され、第１カシメ部２ｃ、２ｃは、図３に示すように下方側に折り曲げ形成されている。
前記段差部２ａの図示右側の平坦状のＡＣスイッチ部２には、下方に突き出しされた一対の凸部２ｄと、上方に突き出しされた一対の凸部２ｅと、この凸部２ｄと前記凸部２ｅとの間に、一対の位置決め孔２ｆ、２ｆが貫通形成されている。
【００１８】
前記枠体１のＤＣスイッチ部３は、図２に示す上下に一対の側板３ｂ、３ｂが折り曲げられて、門型状に形成されている。
前記一対の側板３ｂには、図３に示すような、舌片状の第２カシメ部３ｃ、３ｃがそれぞれ形成され、この第２カシメ部３ｃ、３ｃ間に、後述する第２ケース１１の突部１１ｂをカシメ付けて、後述する検出スイッチ１０を係止するようになっている。
前記ＤＣスイッチ部３の、側板３ｂと連結部１ｃとが交わる部分に、後述する第１スイッチ５の後方部を掛け止めするための掛け止め部３ｅが、切り欠き形成されている。この掛け止め部３ｅの、連結部１ｃの下面との間に形成された隙間寸法は、後述する蓋体９の板厚寸法より若干プラスして形成されている。
【００１９】
また、駆動源取付部４は、図２に示すように、前方に前側板４ａと、後方に後側板４ｂと、図示上部に側板４ｃとが折り曲げられて形成されている。
前記ＡＣスイッチ部２の第１カシメ部２ｃ、２ｃ、およびＤＣスイッチ部３の側板３ｂ、３ｂ、および駆動源取付部４の前側板４ｂ、後側板４ｃ、側板４ｄは、それぞれ図３に示す下方側の同方向にそれぞれ折り曲げられている。
前記枠体１のＡＣスイッチ部２に取り付ける、第１スイッチ５は、図４、５に示すような第１ケース６を有し、この第１ケース６は、樹脂材料らから成り、上方が解放されている。
【００２０】
前記第１ケース６は、前方側に突出するガイド部６ａが形成され、このガイド部６ａの外側面の図示下方側に凹部６ｂが形成されている。
前記第１スイッチ５は、スライド操作可能なＯＮ操作部材７を有している。このＯＮ操作部材７は、矢印Ｅ、Ｆ方向にスライド可能となっており、１方向の矢印Ｆ方向に手動で移動させることにより、第１スイッチ５をＯＮさせることができると共に、後述するソレノイドから成る駆動源１２の駆動により第１スイッチを自動でＯＦＦさせることができるようになっている。
前記ＯＮ操作部材７は、樹脂材料から成り第１ケース６の前方側から外部に突出する操作軸７ａを有し、この操作軸７ａには、ＯＮ操作部材７を常に矢印Ｅ方向に弾性付勢する弾性部材（図示せず）が内装されている。
【００２１】
前記ＯＮ操作部材７の１部には、図６に示すようなカム凹部７ｂが形成され、このカム凹部７ｂは、図７の太線で示すような形状に形成され、このカム凹部７ｂの底面に、深さの異なる複数の平坦面ａ、ｃ、ｄ、ｅと、この平坦面ａ−ｃ、ａ−ｅを接続する傾斜面ｂ、ｆとから成るカム底面７ｃが所定の深さで彫り込み形成されている。
前記カム底面７ｃの、それぞれの平坦面ａ、ｃ、ｄ、ｅの深さは、図８に示すように、平坦面ｅが一番深く形成され、２番目の深さで平坦面ａが形成され、３番目の深さで平坦面ｄが形成され、４番目の深さ（１番浅い）で平坦面ｃが形成されている。また、平坦面ｅと平坦面ａとの間に斜面ｆが形成され、この斜面ｆは平坦面ａに接する部分が平坦面ａより高く形成されている。また、平坦面ａと平坦面ｃとの間が斜面ｂで結ばれている。
【００２２】
前記カム凹部７ｂの周囲には、カム底面７ｃの中で一番浅い平坦面ｃより更に浅い平坦面ｇが形成され、この平坦面ｇの周囲に、ＯＮ操作部材７の表面となる平坦面ｈが形成されている。
前記カム底面７ｃの略中央部には、図７に示すような、黒く塗りつぶしたロック壁７ｄを有するハートカム部７ｅが突出形成されている。
このハートカム部７ｅの突出高さは、カム凹部７ｂ周囲の平坦面ｇと同じ高さで形成されている。
前記ロック壁７ｄには、後述するロック部材８のロック部８ａが当接して、ＯＮ操作部材７をロック状態で係止することができるようになっている。
【００２３】
前記カム凹部７ｂには、金属棒から成るロック部材８が配設され、このロック部材８は、両端部が略直角に折り曲げられて、一端部にロック部８ａが形成され、他端部の揺動支点（図示せず）が第１ケース６側に支持されて配設されている。
そして、ＯＮ操作部材７が矢印Ｅ、Ｆ方向にスライドすることで、ロック部８ａがカム底面７ｃ上を揺動可能になっている。
そして、操作軸７ａを弾性部材（図示せず）の弾性力に抗して手動で矢印Ｆ方向に押圧すると、ロック部材８がカム底面７ｃに誘導されてロック壁７ｄに当接する。
このロック部材８がロック壁７ｄに当接する事で、ＯＮ操作部材７がロック状態に係止されて矢印Ｅ方向の動きが規制されるようになっている。このＯＮ操作部材７がロック状態に係止されると、第１スイッチ５がＯＮされて、図１に示す電源回路の１次側回路２１に電力供給されるようになっている。
【００２４】
前記ＯＮ操作部材７をロック状態から更に矢印Ｆ方向の１方向に移動させて、図７に示す側壁７ｇにロック部８ａが当接するまでの間に、オーバストローク域Ｙを有している
また、前記ＯＮ操作部材７は、ロック壁７ｂが対向する側のカム凹部７ｂを形成する側壁７ｇの一部にガイド壁７ｈが形成されている。
そのために、ＯＮ操作部材７がオーバストローク域Ｙ内を往復移動するときのロック部材８は、ガイド壁７ｈにガイドされて移動するので、平坦面ｄに隣接する平坦面ｄの深さより深い平坦面ｅ側に逃げないようになっている。
そのために、ＯＮ操作部材７がオーバーストローク域Ｙを往復移動しているときは、ＯＮ操作部材７はロック状態に保持されたままで、非ロック状態になることはない。また、ＯＮ操作部材７がオーバーストローク域Ｙ内を移動しているときは、第１スイッチ５はＯＮ状態になっている。
【００２５】
また、第１ケース６の上部には、第１ケース６に形成された解放部（図示せず）を蓋閉する金属板から成る蓋体９が配設されている。この蓋体９は、図４に示すように、左寄りに矩形の開口部９ａが形成されて、この開口部９ａから下方のＯＮ操作部材７のカム凹部７ｂが望めるようになっている。
前記開口部９ａの前方寄りには、図５に示すように、下方側に折り曲げられた一対の基板取付部９ｂと前方カシメ部９ｃとが形成されている。  また、図４に示す開口部９ａの図示左側の上下部分には、第１ケース６からはみ出して設けられた前方係止部９ｄ、９ｄが形成されている。
また、蓋体９には、円形と楕円状の２つの位置決め孔９ｅ、９ｆがそれぞれ貫通形成されている。
【００２６】
また、蓋体９の図示右側である後方側には、一対の後方係止部９ｇ、９ｇが、寸法Ｈの間隔を有して突出形成され、この後方係止部９ｇ、９ｇは、第１ケース６の後方側から所定量突出するようになっている。
前記後方係止部９ｇ、９ｇの間には、図５に示すような、後方カシメ部９ｈが下方側に折り曲げ形成され、蓋体９は、第１ケース６に前方カシメ部９ｃと後方カシメ部９ｈとをカシメ付けて、第１ケース６に一体化されて取り付けられている。また、蓋体９は、後方側に角孔状の操作孔９ｊが形成されている。
このような第１スイッチ５は、後方係止部９ｇ、９ｇが枠体１の掛け止め部３ｅに係止され、前方係止部９ｄ、９ｄが枠体１の第１カシメ部２ｃ、２ｃにカシメ付けられて、枠体１のＡＣスイッチ部２に取り付けられている。
【００２７】
また、枠体１のＤＣスイッチ部３には、ＯＮ操作部材７のオーバストローク域Ｙ内での往復移動を検出可能な検出スイッチ１０が取り付けられている。この検出スイッチ１０は、第１ケース６と同じ樹脂材料から成る第２ケース１１を有し、図２に示すように、第２ケース１１の側壁１１ａから図示上下方向に突部１１ｂが突出形成されている。
また、検出スイッチ１０からは、図１１に示すように、蓋体９の操作孔９ｊに挿入される操作棒１０ａが第２ケース１１から突出して設けられている。この操作棒１０ａは、ＯＮ操作部材７が矢印Ｆ方向にスライドすると、図１１に示すＯＮ操作部材７の後方端部７ｆに弾接するようになっている。
【００２８】
前記ＯＮ操作部材７の矢印Ｆ方向のスライドで、ＯＮ操作部材７の後方端部７ｆで操作棒１０ａが押されると、操作棒１０ａは回動支点１０ｂを支点として矢印Ｇ方向に回動し、リン青銅板等の弾性部材から成る可動接点１０ｃが端子１０ｄ側に移動し、端子１０ｄと端子１０ｅとが導通して、検出スイッチ１０がＯＮする。
すると、図２０に示すロック部８ａが側壁７ｇに当接してＯＮ操作部材７の矢印Ｆ方向へのスライドがストップする。
この状態から、操作軸７ａに加えていた押圧力を取り去って、ＯＮ操作部材７が矢印Ｅ方向に戻ると、操作棒１０ａが可動接点１０ｃの弾性力で、矢印Ｈ方向に回動して、可動接点１０ｃが端子１０ｅ側に移動し、検出スイッチ１０がＯＦＦされるようになっている。
前記検出スイッチ１０は、突部１１ｂが第２カシメ部３ｃ、３ｃでカシメ付けられて、枠体１のＤＣスッチ部３に取り付けられている。
【００２９】
また、図２に示す枠体１の第１取付部１ａの駆動源取付部４には、スイッチ装置Ｓの第１スイッチ５を自動でＯＦＦするためのソレノイド等から成る駆動源１２が取り付けられている。この駆動源１２はコイル（図示せず）と可動鉄芯１２ａとから成り、コイルが、枠体１の前側板４ａと後側板４ｂとに狭持されて抜け止めされて、駆動源１２が枠体１の駆動源取付部４に取り付けられている。
そして、コイルに通電されて初期状態の非励磁状態から励磁状態になると、可動鉄芯１２ａが所定の吸引力で矢印Ｐ方向に吸引されるようになっている。
【００３０】
前記可動鉄芯１２ａの先端にはＯＦＦ操作部材１３の係合部１３ａが係合されている。このＯＦＦ操作部材１３は、一端部に係合部１３ａと、他端部にカム面１３ｂとを有し、前記係合部１３ａとカム面１３ｂとの間に支持孔１３ｃが形成されている。
そして、ＯＦＦ操作部材１３は、係合部１３ａを可動鉄芯１２ｂの先端に係合させ、支持孔１３ｃが枠体１の凸部２ｂに挿入され、支持孔１３ｃを中心として回動可能に枠体１に取り付けられている。
そのために、ロック壁７ｄにロック部材８が位置して、ＯＮ操作部材７がロック状態にあるときに、駆動源１２を駆動させて可動鉄芯１２ａを矢印Ｐ方向に吸引すると、ＯＦＦ操作部材１３が支持孔１３ｃを中心として時計回り方向に回動して、カム面１３ｂがロック状態のロック部８ａをロック壁７ｄから外し、ＯＮ操作部材７のロックを自動的に解除できるようになっている。
【００３１】
即ち、本発明の電気機器のスイッチ装置Ｓは、手動操作でＯＮに切換えてＯＮ状態でロックし、このロックを解除するには、ＯＦＦ操作部材１３自動操作してオートＯＦＦさせることができる駆動源１２とを有して、１次側回路２１に接続されている。
そして、本発明の電気機器は、１次側回路２１に電力供給するときはＯＮ操作部材７を手動操作してスイッチ装置ＳをＯＮさせ、また、１次側回路２１への電力供給を遮断するときは、制御系回路２８を作動させて前述したような所定の処理を行った後に駆動源１２の駆動によりスイッチ装置Ｓを自動でＯＦＦさせ、１次側回路２１への電力供給を自動的に遮断するようなオートＯＦＦ機能を備えている。
【００３２】
本発明の電気機器、例えばファーンヒータにスイッチ装置Ｓを用いた電源回路の制御系回路２８の働きと、スイッチ装置Ｓのロック部材８の動きと、スイッチ装置Ｓの操作との関係を、図９、１０、及び図１２を用いて説明する。
まず、ＯＮ操作部材７が一番左側に位置して、第１スイッチ５がＯＦＦされた初期状態にあっては、ロック部８ａが平坦面ａ上の（７）の場所に位置した状態になっている。この状態から操作軸７ａをｙすどうで押圧してＯＮ操作部材７を矢印Ｆ方向の一方側に移動させると、ロック部材８は平坦面ａから斜面ｂを経由して、一番深さの浅い平坦面ｃまで誘導される。その後ロック部８ａは、平坦面ｃから平坦面ｄ（第１平坦面）に落下すると共に、カム凹部７ｂの側壁７ｇに当接して（１）から（２）の場所に位置し、ＯＮ操作部材７の矢印Ｆ方向への移動が停止する。このとき、第１スイッチ５がＯＮされる。
【００３３】
また、ロック部材８が（２）の場所に位置すると、検出スイッチ１０もＯＮされるが、ファーンヒータの制御系回路２８は第１スイッチ５がＯＮされてから、数秒間は検出スイッチ１０からのＯＮ信号を検知しないようになっている。
この状態から操作軸７ａに加えていた矢印Ｆ方向への押圧力を解くと、ＯＮ操作部材７は矢印Ｅ方向に若干戻りロック部材８は、ロック壁７ｄに当接して（３）の場所に位置し、ＯＮ操作部材７がロック状態に保持される。
このロック状態のＯＮ操作部材７の操作軸７ａを再度矢印Ｆ方向に押圧すると、ＯＮ操作部材７はオーバーストローク域Ｙ内を移動して、ロック部材８が（３）の場所からカム凹部７ｂの側壁７ｇに当接して（４）の場所に移動する。このＯＮ操作部材７がオーバーストローク域Ｙ内を移動して、ロック部材８が（３）から（４）の場所に移動すると、ＯＮ操作部材７が検出スイッチ１０をＯＮする。
【００３４】
この検出スイッチ１０がＯＮしたときの信号を、制御系回路２８が検知すると、この制御系回２８から信号系及びモータ系回路２７に指令して、ファーンヒータを消火するときの不完全燃焼を防止するための処理、あるいは燃焼部への燃料供給停止等の所定の処理である保全処理を所定時間内に行う。
その後、制御系回路２８からの指令で、駆動源１２のコイルに通電されて、駆動源１２が駆動し、ＯＦＦ操作部材１３を介してロック部材８が（３）から（５）の場所に移動され、ＯＮ操作部材７のロック状態が解除される。
【００３５】
すると、ＯＮ操作部材７は、図示しない弾性部材の作用で矢印Ｅ方向に移動し、ロック部材８は（５）から（６）を経由して、初期状態の（７）の場所に位置すると共に、第１スイッチ５がオートＯＦＦされて、スイッチ装置Ｓは初期状態に自動復帰する。
前記第１スイッチ５がオートＯＦＦされると、１次側回路２１への電力供給が遮断されると共に、信号系及びモータ系電源回路２３と信号系用電源回路２４の２次側回路への電力供給が遮断されて、待機電力の消費を確実に零にする事ができる。
【００３６】
本発明の実施の形態の説明では、駆動源１２をソレノイドで説明したが、例えば駆動源１２にモータ等を使用したものでもよい。
また、本発明の実施の形態では、検出スイッチ１０がＯＮされる信号を制御系回路２８が検知するように説明したが、前記信号は、検出スイッチ１０がＯＦＦされるときの信号でもよい。即ち、検出スイッチ１０のＯＮ、またはＯＦＦの信号を制御系回路２８が検知するようにしたものでもよい。
【００３７】
また、本発明の実施の形態として、電気機器の操作パネルに駆動源１２に対向する孔を設け、駆動源１２の可動鉄芯１２ａを電気機器の外部から操作してスイッチ装置Ｓを強制的にＯＦＦさせることができ、安全性を高めることができる。
【００３８】
このような本発明の電気機器のその他の実施の形態を、例えばファーンヒータで説明すると、ファーンヒータ（図示せず）には、図１３に示すように、基板（図示せず）に取り付けられたスイッチ装置ＳのＯＮ操作部材７を、外部から操作可能な操作ボタン３１を有し、この操作ボタン３１をスライド可能に保持する操作パネル３０が設けられている。
この操作パネル３０は、駆動源１２の可動鉄芯１２ａの強制操作を操作パネル３０の内部の操作部３２に配設した押し棒３３を操作して行うようになっている。
この操作部３２は操作パネル３０の一部に操作孔３２ａが形成され、この操作孔３２ａが形成された部分の内側で、図１３Ａに示す上部側には、内部が空洞の支持部３２ｂが図示上方の電気機器の内部側に突出形成されている。
【００３９】
前記支持部３２ｂ内部には、押し棒３３がスライド可能に支持されると共に、押し棒３３の先端部３３ａが、支持部３２ｂから図示上方に突出した状態になっている。前記押し棒３３は、コイルバネ３４によって、図示下方側に弾性付勢され、前記押し棒３３の一端部３３ａは、スイッチ装置Ｓの駆動源１２の可動鉄芯１２ａの先端に当接、あるいは若干隙間を有して取り付けられ、押し棒３３の他端部は操作孔３２ａの内部に位置して、操作孔３２ａから望めるようになっている。そして、押し棒３３は、コイルバネ３４で、図示下方側に弾性付勢されている。
【００４０】
従って、押し棒３３は操作パネル３０の意匠面よりも突出することがなく、誤って押し棒３３が押されることを防止できる。前記ＯＮ操作部材７がロック状態に保持され、第１スイッチ５がＯＮされているときに、操作孔３２ａから図示しない操作棒を挿入して、押し棒３３を矢印Ｐ方向に押圧し、可動鉄芯１２ａを矢印Ｐ方向に押圧すると、ＯＦＦ操作部材１３が回動し、ロック状態のＯＮ操作部材７のロックが解除されて、ＯＮ操作部材７は非ロック状態になると共に、第１スイッチ５を強制的にＯＦＦすることができる。尚、押し棒３３にマーキングを施す等して、使用者に非常用であることを知らしめるようにする事も可能である。
【００４１】
このような、本発明のその他の実施の形態の電気機器は、何らかの事情で制御系回路２８に暴走等の問題が発生した場合であっても、ソレノイドから成る駆動源１２の可動鉄芯１２ａを手動で強制的に操作して、スイッチ装置Ｓを強制的にＯＦＦすることができる。そのために、制御系回路２８が暴走等で、ファーンヒータが異常燃焼等により火災等の問題が発生する前に、ファーンヒータの燃焼を手動で強制的に消火して、未然に防止することができる。
なお、ＯＮ操作部材が手動操作部材に相当する。
【００４２】
【発明の効果】
本発明の電気機器は、１次側電源供給回路への電力供給を遮断するときは、前記手動操作部材が操作されただけでは前記スイッチ装置はＯＦＦにならず、前記オーバストローク域内を移動することによる前記検出スイッチのＯＮ／ＯＦＦ信号に基づいて前記制御系回路を作動させ、所定の処理を行った後に前記駆動源を駆動して、前記ＯＦＦ操作部材を操作することによって、前記スイッチ装置がＯＦＦになるようにしたので、あるいは、前記手動操作部材はハート状カムとロック部材からなるカム機構をさらに有し、前記手動操作部材が、ＯＦＦ位置から操作されても前記ロック部材はカム内のＯＦＦ位置から移動しないよう配設されており、前記ＯＦＦ操作部材が前記駆動源により駆動された時、前記ＯＦＦ操作部材は前記ロック部材をカム内のＯＦＦ位置から、ＯＮ位置へ復帰できる経路上に強制的に移動させるたので、手動での誤操作、１次側回路が遮断されることがなく、１次側電源供給回路への電力供給を遮断する前に所定の保全処理等の処理を確実に行うことができる。従って、ファーンヒータをはじめ、停止前に所定の処理が必要な電気機器においては、前記所定の処理を行った後に、１次側電源供給回路に供給される電力を遮断することができ、待機電力の消費を確実に零にすることができる経済性の高い電気機器を提供できる。また、ＯＦＦ操作部材の起動を、手動操作部材のオーバーストローク域内で行うことができ、異なる位置に配置した手動操作部材とＯＦＦ操作部材を、見かけ上１つにすることができ、操作性が高く、また、電気機器の操作パネルへのレイアウトの自由度が向上する。
【００４４】
また、スイッチ装置は、駆動源は、可動鉄心を有するソレノイドであり、前記１次側電源供給回路に供給さる電力を遮断するときは、前記ソレノイドを駆動させて前記スイッチ装置をＯＦＦさせることができると共に、前記ソレノイドに配設されたので、スイッチ装置を強制的にＯＦＦさせることができる。従って、何らかの異常でマイコンから成る制御系回路暴走して、オートＯＦＦ操作ができなくなった場合でも、ソレノイドの可動鉄芯を手動で押圧して電源回路を強制的に遮断することができ、火災等の障害を未然に防止することができ、安全性の高い電気機器を提供できる。
【００４５】
また、前記スイッチ装置の前記手動操作部材を外部から操作可能な操作ボタンを保持する操作パネルを有し、前記可動鉄芯の前記強制操作を前記操作パネルの内部に配設した押し棒を操作して行うようにしたので、押し棒は操作パネルの意匠面よりも突出することがなく、謝って押し棒が押されることを防止できる。また、電気機器内部でのスイッチ装置の配置自由度が向上する。
【００４６】
また、前記可動鉄芯を外部から強制操作可能とする貫通孔を前記操作パネルに設けたので、何らかの異常で駆動源であるソレノイドを駆動させることができなくなった場合でも、特別な操作部材を設けることなく、貫通孔から、例えばドライバー等の細長いものを差し込んで可動鉄芯を操作して、電源回路を強制的に遮断することができる。そのために、安価な電気機器を提供する事が可能となる。
【図面の簡単な説明】
【図１】本発明の電気機器の電源制御回路の要部回路図である
【図２】本発明に係わるスイッチ装置の上面図である。
【図３】本発明に係わるスイッチ装置の正面図である。
【図４】本発明に係わるスイッチ装置の第１スイッチの上面図である。
【図５】本発明に係わるスイッチ装置の第１スイッチの正面図である。
【図６】本発明に係わるスイッチ装置の要部拡大図である。
【図７】本発明に係わるスイッチ装置のカム底面を説明する概略図である。
【図８】本発明に係わるスイッチ装置のカム底面を説明する概略図である。
【図９】本発明に係わるスイッチ装置のロック部材の動きを説明する概略図である。
【図１０】本発明に係わるスイッチ装置のロック部材の動きを説明する概略図である。
【図１１】本発明に係わるスイッチ装置の検出スイッチを説明する要部断面図である。
【図１２】本発明に係わる制御系回路とスイッチ装置の動作との関連を説明する図である。
【図１３】本発明のその他の実施の形態を説明する概略図である。
【符号の説明】
１  枠体
１ｃ  連結部
２  ＡＣスイッチ部
２ａ  段差部
２ｂ  凸部
２ｃ  第１カシメ部
３  ＤＣスイッチ部
３ｂ  側板
３ｃ  第２カシメ部
３ｅ  掛け止め部
４  駆動源取付部
５  第１スイッチ
６  第１ケース
７  ＯＮ操作部材
７ａ  操作軸
７ｂ  カム凹部
７ｃ  カム底面
８  ロック部材
８ａ  ロック部
９  蓋体
９ｄ  前方係止部
９ｇ  後方係止部
１０  検出スイッチ
１０ａ  操作棒
１１  第２ケース
１２  駆動源
１２ａ  可動鉄芯
１３  ＯＦＦ操作部材
１３ａ  係合部
１３ｂ  カム面
２１  １次側電源供給回路
２２  電源トランス
２３  信号系及びモータ系電源回路
２４  信号系用電源回路
２５、２６  逆流防止ダイオード
２７  信号系及びモータ系回路
２８  制御系回路
２９  駆動用トランジスタ
【図１】
0003722634.tif 000002
【図２】
0003722634.tif 000003
【図３】
0003722634.tif 000004
【図４】
0003722634.tif 000005
【図５】
0003722634.tif 000006
【図６】
0003722634.tif 000007
【図７】
0003722634.tif 000008
【図８】
0003722634.tif 000009
【図９】
0003722634.tif 000010
【図１０】
0003722634.tif 000011
【図１１】
0003722634.tif 000012
【図１２】
0003722634.tif 000013
【図１３】
0003722634.tif 000014